(57)【特許請求の範囲】
【請求項１】
トラクターから動力を得て駆動される耕耘駆動軸１３を入力伝動ケース２１から左右に突出させてこれらの外周を左右一対の覆筒ケース部２２ａ，２２ｂにて覆い、これらの覆筒ケース部２２ａ，２２ｂの両端部には縦伝動ケース２３ａ，２３ｂを固着し、縦伝動ケース２３ａ，２３ｂの下部に正転用耕耘軸１４を回転自在に軸支し、この正転用耕耘軸１４上であってその左右両側部に逆転用耕耘軸１５ａ，１５ｂを回転自在に設けた耕耘装置において、左右いずれか一方の縦伝動ケース２３ａ内には正転用耕耘軸１４に動力を伝える歯車１６，１７，１８，１９と逆転用耕耘軸１５ａに動力を伝えるチェン２７、鎖歯車２５，２６を収容して設け、反対側の縦伝動ケース２３ｂ内には他方の逆転用耕耘軸１５ｂに動力を伝達するチェン３０、鎖歯車２８，２９を収容し、左右の逆転用耕耘軸１５ａ、１５ｂには夫々逆転用の耕耘刃３４を取り付け、正転用耕耘軸１４には、両端部にフランジ３２，３２を有する耕耘筒軸３１を被せてこの耕耘筒軸３１をピン３３で正転用耕耘軸１４に取り付けて一体的に回転するように構成し、前記両逆転用耕耘軸１５ａ、１５ｂは同じ回転方向で、且つ同じ回転数で伝動され、正転用耕耘軸１４は逆転用耕耘軸１５ａ、１５ｂとは逆転するが回転数は同じになるように構成されていることを特徴とする耕耘装置における耕耘刃駆動装置。
【発明の詳細な説明】
【０００１】
【産業上の利用分野】
本発明は、トラクタ−に装着される耕耘装置に関する。
【０００２】
【従来技術】
従来の耕耘装置は、耕耘軸が正転側と逆転側とに切替駆動される構成になっていた。ところが、正転状態あるいは逆転状態の何れか側に駆動されるときは、その回転駆動反力が強くて、機体振動が大きくなる欠点があり、特に、耕耘初期におけるショックがトラクタ−側に大きな影響を及ぼすことになる。
【０００３】
そこで、耕耘軸を正転と逆転と区分して駆動する構成が要求され、特開平６−７０６０１公報に開示された技術手段が採用されるようになった。ところが、この従来の技術手段は、歩行型の管理機に装備された耕耘装置の正逆耕耘軸の伝動構造に関するもので、耕耘軸が２重軸になっていてその先端側は自由端になった極く小型の正逆耕耘軸の伝動に係るものであった。
【０００４】
【発明が解決しようとする課題】
前述の従来技術のものでは、先に説明した通り、小型の耕耘伝動装置では片持ち状態での駆動が可能であるが、トラクタ−に装備される大型のものでは、片持ち駆動では耕耘作業時の走行抵抗によるモ−メントに耐えることが困難であり実施困難な欠点があった。
【０００５】
【課題を解決するための手段】
この発明は、前述の課題を解消するために次の技術的な手段を講じた。即ちトラクターから動力を得て駆動される耕耘駆動軸１３を入力伝動ケース２１から左右に突出させてこれらの外周を左右一対の覆筒ケース部２２ａ，２２ｂにて覆い、これらの覆筒ケース部２２ａ，２２ｂの両端部には縦伝動ケース２３ａ，２３ｂを固着し、縦伝動ケース２３ａ，２３ｂの下部に正転用耕耘軸１４を回転自在に軸支し、この正転用耕耘軸１４上であってその左右両側部に逆転用耕耘軸１５ａ，１５ｂを回転自在に設けた耕耘装置において、左右いずれか一方の縦伝動ケース２３ａ内には正転用耕耘軸１４に動力を伝える歯車１６，１７，１８，１９と逆転用耕耘軸１５ａに動力を伝えるチェン２７、鎖歯車２５，２６を収容して設け、反対側の縦伝動ケース２３ｂ内には他方の逆転用耕耘軸１５ｂに動力を伝達するチェン３０、鎖歯車２８，２９を収容し、左右の逆転用耕耘軸１５ａ、１５ｂには夫々逆転用の耕耘刃３４を取り付け、正転用耕耘軸１４には、両端部にフランジ３２，３２を有する耕耘筒軸３１を被せてこの耕耘筒軸３１をピン３３で正転用耕耘軸１４に取り付けて一体的に回転するように構成し、前記両逆転用耕耘軸１５ａ、１５ｂは同じ回転方向で、且つ同じ回転数で伝動され、正転用耕耘軸１４は逆転用耕耘軸１５ａ、１５ｂとは逆転するが回転数は同じになるように構成されていることを特徴とする耕耘装置における耕耘刃駆動装置とする。
【０００６】
【実施例】
この発明の一例を図面に基づき詳細に説明する。１はトラクタ−本体である。２は耕耘装置で、トラクタ−本体１の後部ミッションケ−ス３部から油圧昇降機構４を介して装着されている。この油圧昇降機構４は、油圧装置（（図示せず）で作動される駆動回動ア−ム５で伸縮ロッド６を介して吊持される左右一対のロワ−リンク７と、この上方部に設けたトップリンク８とからなっている。
【０００７】
９は耕耘装置２の伝動ケ−スで、前記ミッションケ−ス３から後方側へ突出して回転される動力取出軸１０（ＰＴＯ軸）からユニバ−サルジョイントを有した伝動軸１１を介して入力される左右中央部の入力伝動ケ−ス部２１、この入力伝動ケ−ス２１から左右両側へ突出する覆筒ケ−ス部２２ａ，２２ｂ及びこの両覆筒ケ−スの突出端から下方に向かう縦伝動ケ−ス２３ａ，２３ｂから構成されている。
【０００８】
１２は一組の傘歯車で、入力歯車１２ａとこれに噛み合う従動歯車１２ｂとは前記入力伝動ケ−ス２１内に軸受されている。１３は耕耘駆動軸で、前記傘歯車１２で伝動され、覆筒ケ−ス部２２ａ，２２ｂ内において軸受されている。１４は正転用耕耘軸、１５ａ，１５ｂは逆転用耕耘軸であり、この逆転用耕耘軸１５ａ，１５ｂは筒軸形状になっていて、この筒内には正転用耕耘軸１４が挿通されている。また、この逆転用耕耘軸１５ａ，１５ｂは左右両側寄りに位置しそれぞれ左右縦伝動ケ−ス２３ａ，２３ｂ側内の伝動手段で各別に伝動される構成になっている。正転用耕耘軸１４は左側縦伝動ケ−ス２３ａ内の伝動手段で駆動されるように構成されている。
【０００９】
この各伝動手段の一例について説明すると、左側縦伝動ケ−ス２３ａ内には前記耕耘駆動軸１３に取り付けられた歯車１６、これに噛み合う第１中間歯車１７、更にこの歯車１７に噛み合う第２中間歯車１８及びこの歯車１８に噛み合う歯車１９を介して正転用耕耘軸１４が伝動回転されるように構成され、逆転用耕耘軸１５ａは、前記正転用耕耘軸１４に挿通の筒軸２０ａに重合した状態にしてキ−２４で当該筒軸２０ａと一体回転されるよう構成されている。そして、この筒軸２０ａに固着された鎖歯車２５と前記歯車１８に一体構成の鎖歯車２６との間にチエン２７を巻掛けて逆転用耕耘軸１５ａが耕耘駆動軸１４の回転方向と逆回転されるように構成されている。
【００１０】
また、他側の逆転用耕耘軸１５ｂは、前記正転用耕耘軸１４に挿通の筒軸２０ｂに重合した状態にしてキ−２４で当該筒軸２０ｂと一体回転されるよう構成されている。そして、この筒軸２０ｂに固着された鎖歯車２８は、前記耕耘駆動軸１４に取り付けられた鎖歯車２９からチエン３０によって駆動されるようになっている。そして、この両逆転用耕耘軸１５ａ，１５ｂは同じ回転方向で、且つ同じ回転数で伝動されるようになっており、また、正転用耕耘軸１４は逆転用耕耘軸１５ａ，１５ｂとは逆回転するが、その回転数は同じになるよう構成されている。
【００１１】
３１は耕耘筒軸で、前記左右側に位置した逆転用耕耘軸１５ａ，１５ｂの間の正転用耕耘軸１４に被せられてあり、その両端側にフランジ３２，３２を設けて前記逆転用耕耘軸１５ａ，１５ｂの端部外周を覆うよう構成し、ピン３３で前記正転用耕耘軸１４に取付けて一体的に回転するよう構成している。３４は耕耘刀で、前記耕耘筒軸３１及び逆転用耕耘軸１５ａ，１５ｂにブラケット３５とボルト３６とで基部側を固着している。
【００１２】
３７は耕耘カバ−、３８はリヤ−サイドカバ−、３９は耕深センサ−を兼ねたリヤ−カバ−を示す。４０は耕耘装置２の上下高さを調節する調節機で、尾輪を装備する調節ア−ム４１の回動調節が出来るように構成している。図中の符号、４２は操縦ハンドル、４３は操縦座席、４４は油圧操作レバ−で、耕耘装置２を昇降操作するレバ−である。４５は変速レバ−で、走行速度を切替るレバ−である。４６は切替変速レバ−で、動力取り出し軸（ＰＴＯ軸）を停止、逆転あるいは変速するレバ−であり、このレバ−４６で耕耘装置２の伝動を停止、始動あるいは正転、逆転できるようになっている。
【００１３】
上例の作用を説明すると、トラクタ−本体１を走行運転しながらレバ−４６の切替操作により動力取出軸１０（ＰＴＯ軸）を正転あるいは逆転させて伝動軸１１を介し耕耘装置２側を伝動する。このとき耕耘装置側の入力部分である一組の傘歯車１２により駆動軸１３が伝動回転され、左右側の縦伝動ケ−ス２３ａ，２３ｂ内の伝動手段を介して正転用耕耘軸１４と逆転用耕耘軸１５ａ，１５ｂが互いに逆転される。したがって、ケ−ス２３寄りの耕耘刀３４と中央部の耕耘刀３４とが互いに逆転して耕耘作業が行なわれることになる。そして、先の動力取出軸１０を正転側と逆転側とにレバ−４６で切替ることにより自由にその回転方向が切り替わり適性な耕耘作業を行なうことができる。
【００１４】
例えば、作物を移植する場合の耕耘作業で、左右両端に作物を植えて中央を空隙に残すようなときは、左右両側を逆転耕耘作業して細かな砕土状態に仕上げて移植後の活着を良くし、中央部は正転耕耘作業にして土中への酸素供給を良好にして移植後の成育を旺盛にできる耕耘作業形態にする。また、耕耘作業後に畝立てする場合には、左右両側を正転耕耘作業して粗い砕土状態に仕上げて、この部分に溝を造成し、中央部は逆転耕耘作業にして細かい砕土状態にして畝上部が十分に細土された畝に仕上げ、畝上面に苗を移植するに適性な状態にできる。この場合においても畝にマルチかけをすると畝側面が粗い砕土で仕上がっているために空気の保温性が良好になり成育がよくなる。
【００１５】
したがって、この発明のようにトラクタ−用の左右幅広の耕耘装置において、左右両側と中央部との耕耘刀が互いに逆転する構成にすることにより、これまでにない汎用性の高い耕耘作業をすることができる。
【００１６】
【発明の作用及び効果】
この発明によれば、トラクタ−用の左右幅広の耕耘装置でありながら、左右両側と中央部との耕耘刀が互いに逆転し、回転数は同じになる耕耘装置が得られ、これまでにない汎用性の高い耕耘作業をすることができる。
しかも、正転用耕耘軸１４と逆転用耕耘軸１５ａ，１５ｂとは２つの縦伝動ケース２３ａ，２３ｂによって両持ち状態で支持され、逆転用耕耘軸１５ａ，１５ｂに対する逆転動力は左右の縦伝動ケース２３ａ，２３ｂ内のチェン２７、３０鎖歯車２５，２６，２８，２９によって伝えられ、左右の耕耘逆転用耕耘軸１５ａ，１５ｂは同じ回転方向で同じ回転数で回り、さらに中央の正転用耕耘軸１４に被せられた耕耘筒軸３１にはフランジ３２，３２が取り付けられているので泥の進入が少なく耕耘作業時の動力伝達に支障を与えることがない。
【図面の簡単な説明】
【図１】側面図
【図２】要部の断面図
【符号の説明】
１    トラクタ−本体
２    耕耘装置
９    伝動ケ−ス
１３  耕耘駆動軸
１４  正転用耕耘軸
１５  逆転用耕耘軸
２３  左右縦伝動ケ−ス
３１  耕耘筒軸
３４  耕耘刀
３７  耕耘カバ−
【図１】
0003637619.tif 000002
【図２】
0003637619.tif 000003